(57)【要約】【課題】ガイド部材の適正な交換時期を容易に把握することのできる無端状回転部材のガイド部材を提供する。【解決手段】チェーン２００を案内する案内面１１１を有するガイド部材（チェーンスライダー１００）であって、案内面１１１と、案内面１１１とは反対側の面１１３との間の位置に、チェーン２００が摺動することで破損するように構成される容器１２０であって、かつ、その内部にインクが収容された容器１２０が埋め込まれていることを特徴とする。【選択図】図３
2020189538.tif 000002
【特許請求の範囲】
【請求項１】
無端状回転部材を案内する案内面を有する、無端状回転部材のガイド部材であって、
前記案内面と該案内面とは反対側の面との間の位置に、前記無端状回転部材が摺動することで破損するように構成される容器であって、かつ、その内部にインクが収容された容器が埋め込まれていることを特徴とする無端状回転部材のガイド部材。
【請求項２】
前記インクの色は、前記案内面を有するガイド部材本体の色と異なることを特徴とする請求項１に記載の無端状回転部材のガイド部材。
【発明の詳細な説明】
【技術分野】
【０００１】
本発明は、チェーンやベルト等の無端状回転部材を案内する無端状回転部材のガイド部材に関する。
【背景技術】
【０００２】
自動二輪車等においては、タイヤに回転駆動力を伝達するためのチェーンと、このチェーンを案内するためのチェーンスライダーとを備えている。チェーンスライダーは、チェーンとの摺動により、経時的に摩耗が進行する。この摩耗が著しく進行すると、チェーンスライダー自体の品質が低下するだけでなく、チェーンスライダーが取り付けられている部品にも悪影響が及ぼされることがある。そのため、チェーンスライダーは適正な時期に交換する必要がある。
【０００３】
しかしながら、チェーンスライダー自体は、摩耗が進行しても、一般のユーザーでは、摩耗の程度が分かり難く、整備士などの専門家でないと適正な交換時期の判断が難しい。そのため、適正な交換時期が過ぎてしまい、チェーンスライダーやチェーンスライダーが取り付けられている部品の品質が著しく低下してしまうことがある。なお、自動二輪車だけでなく、チェーンやベルトなどの無端状回転部材と、この無端状回転部材を案内するガイド部材とを備える各種装置においても、同様の課題を有することがある。
【先行技術文献】
【特許文献】
【０００４】
【特許文献１】特開平６−３４４９７２号公報
【特許文献２】特開平９−５３４３６号公報
【発明の概要】
【発明が解決しようとする課題】
【０００５】
本発明の目的は、ガイド部材の適正な交換時期を容易に把握することのできる無端状回転部材のガイド部材を提供することにある。
【課題を解決するための手段】
【０００６】
本発明は、上記課題を解決するために以下の手段を採用した。
【０００７】
すなわち、本発明の無端状回転部材のガイド部材は、
無端状回転部材を案内する案内面を有する、無端状回転部材のガイド部材であって、
前記案内面と該案内面とは反対側の面との間の位置に、前記無端状回転部材が摺動することで破損するように構成される容器であって、かつ、その内部にインクが収容された容器が埋め込まれていることを特徴とする。
【０００８】
本発明によれば、無端状回転部材との摺動により案内面が摩耗し、容器が埋め込まれた位置まで摩耗が進行すると、無端状回転部材との摺動によって容器が破損する。そして、容器が破損すると、容器内に収容されたインクが染み出してくる。これにより、案内面の摺動摩耗が、容器の埋め込まれた位置まで進んだことを容易に把握することができる。
【０００９】
前記インクの色は、前記案内面を有するガイド部材本体の色と異なるとよい。
【００１０】
これにより、インクが染み出していることを、容易に視認することが可能となる。
【発明の効果】
【００１１】
以上説明したように、本発明によれば、ガイド部材の適正な交換時期を容易に把握することができる。
【図面の簡単な説明】
【００１２】
【図１】図１は本発明の実施例に係る無端状回転部材のガイド部材を備える機構の側面図である。
【図２】図２は本発明の実施例に係る無端状回転部材のガイド部材の平面図である。
【図３】図３は本発明の実施例に係る無端状回転部材のガイド部材の側面図の一部拡大図である。
【発明を実施するための形態】
【００１３】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。なお、以下に示す実施例においては、自動二輪車に備えられる機構（タイヤに回転駆動力を伝達するための無端状回転部材としてのチェーンと、このチェーンを案内するガイド部材としてのチェーンスライダーとを備える機構）を例にして説明する。
【００１４】
（実施例）
図１〜図３を参照して、本発明の実施例に係る無端状回転部材のガイド部材について説明する。図１は本発明の実施例に係る無端状回転部材のガイド部材を備える機構の側面図である。図２は本発明の実施例に係る無端状回転部材のガイド部材の平面図である。図３は本発明の実施例に係る無端状回転部材のガイド部材の側面図の一部拡大図である。
【００１５】
＜無端状回転部材のガイド部材を備える機構＞
特に、図１を参照して、本実施例に係る無端状回転部材のガイド部材を備える機構１０について説明する。本実施例に係る機構１０は、自動二輪車に備えられており、タイヤに回転駆動力を伝達するための無端状回転部材としてのチェーン２００と、このチェーン２００を案内するガイド部材としてのチェーンスライダー１００とを備えている。チェーンスライダー１００は、自動二輪車の車体に備えられる部品３００に取り付けられている。なお、図１においては、部品３００は簡略的に示している。
【００１６】
＜ガイド部材（チェーンスライダー）＞
図１〜図３を参照して、本実施例に係るガイド部材としてのチェーンスライダー１００について説明する。本実施例に係るチェーンスライダー１００は、チェーン２００を案内する案内面１１１を有するガイド部材本体１１０を備えている。チェーン２００は、ガイド部材本体１１０における案内面１１１に沿って回転する（例えば、図１中矢印方向に回転する）ように構成されており、チェーン２００の回転時においては、チェーン２００は案内面１１１に対して摺動する。また、ガイド部材本体１１０の案内面１１１側の両サイドには、チェーン２００の幅方向の位置ずれを規制するための幅方向規制部１１２も設けられている。
【００１７】
そして、本実施例に係るチェーンスライダー１００においては、ガイド部材本体１１０における案内面１１１と、この案内面１１１とは反対側の面１１３との間の位置に、容器（カプセル）１２０が埋め込まれている。より具体的には、ガイド部材本体１１０の側面に開口する穴１１４に、容器１２０が埋め込まれている。そして、この容器１２０の内部にはインクが収容されている。このインクの色は、ガイド部材本体１１０の色と異なっている。また、容器１２０は、チェーン２００が摺動することで破損するように構成されて
いる。
【００１８】
以上のように構成されるチェーンスライダー１００によれば、チェーン２００による案内面１１１の摺動摩耗が、図３中、点線１１１Ｘまで進行すると、容器１２０が案内面１１１側に露出する。これにより、容器１２０とチェーン２００が摺動することによって、容器１２０が破損して、容器内部からインクが染み出すことになる。
【００１９】
＜本実施例に係るガイド部材（チェーンスライダー）の優れた点＞
本実施例に係るチェーンスライダー１００によれば、チェーン２００による摺動摩耗が、一定以上進行すると、容器１２０が破損し、容器内に収容されたインクが染み出してくる。これにより、案内面１１１の摺動摩耗が、容器１２０の埋め込まれた位置まで進んだことを容易に把握することができる。従って、ユーザーは、チェーンスライダー１００の適正な交換時期を容易に把握することができる。なお、インクの染み出しは、染み出しを確認したら早急にチェーンスライダー１００を交換すべきサインとして利用することもできるし、染み出しを確認してからある程度の期間内にチェーンスライダー１００を交換すべき目安としてのサインとして利用することもできる。インクの染み出しが発生してからチェーンスライダー１００を交換すべき期間に応じて、容器１２０を埋める位置を設定すればよいことは言うまでもない。
【００２０】
従って、ユーザーに対して、インクの染み出しを確認してからどの程度の期間内にチェーンスライダーを交換すればよいかを明確にしておくだけで、ユーザーは、チェーンスライダー１００の適正な交換時期を容易に把握することができる。
【００２１】
また、本実施例においては、インクの色は、ガイド部材本体１１０の色と異なっている。これにより、ユーザーは、インクが染み出していることを、容易に視認することが可能となる。
【００２２】
（その他）
上記実施例においては、ガイド部材としてのチェーンスライダー１００を備える機構が、自動二輪車に備えられる機構の場合を例にして説明した。しかしながら、本発明の無端状回転部材のガイド部材が備えられる機構は、自動二輪車に限定されることはなく、各種の装置に適用可能である。また、本発明における無端状回転部材は、チェーンに限定されることはなく、例えば、ベルトの場合も含まれる。従って、例えば、各種の装置や部品を搬送する搬送装置において、無端状回転部材としての搬送ベルトを備える機構に、本発明を適用することもできる。また、上記実施例では、チェーンスライダー１００は、半円状の案内面と、その両端から伸びる直線状の案内面とを有する構成を示したが、本発明におけるガイド部材（ガイド部材本体）における案内面は、チェーンやベルトの回転方向に応じて、適宜設定されることは言うまでもない。更に、上記実施例においては、容器１２０が１か所にのみ設けられる場合を示したが、本発明における容器は複数個所に設けてもよい。この場合に、案内面のうち摺動摩耗が発生し易い複数の個所に容器を設けると好適である。
【符号の説明】
【００２３】
１０  無端状回転部材のガイド部材を備える機構
１００  チェーンスライダー
１１０  ガイド部材本体
１１１  案内面
１１２  幅方向規制部
１１３  案内面とは反対側の面
１１４  穴
１２０  容器
２００  チェーン
３００  部品
【図１】
2020189538.tif 000003
【図２】
2020189538.tif 000004
【図３】
2020189538.tif 000005